(57)【要約】      （修正有）【課題】一時保留部から回収部へと有価媒体を搬送する際に有価媒体の詰まり等のエラーが発生してしまったり、交換用回収部を筐体内に設置されていない状態が発生してしまったりする不都合が発生しても、当該不都合を解消することなく進行中の処理を暫定的に終了させる。【解決手段】有価媒体処理装置は、有価媒体を一時的に保留する一時保留部２６，４６と、一時保留部２６，４６で一時的に保留されていた有価媒体を収納する回収部と、一時保留部２６，４６から回収部に有価媒体を収納する際にエラーが発生した場合に、当該有価媒体に関する情報を記憶部８０に記憶させる出力部８１と、エラーが発生した状態で進行中の処理を中断させるための信号を受けると当該処理を中断する制御部３０，５０，７０と、を備えている。【選択図】図５
2016091187.tif 000002
【特許請求の範囲】
【請求項１】
有価媒体を処理する有価媒体処理装置において、
有価媒体を一時的に保留する一時保留部と、
前記一時保留部で一時的に保留されていた有価媒体を収納する回収部と、
前記一時保留部から前記回収部に有価媒体を収納する際にエラーが発生した場合であっても、前記有価媒体に関する情報を記憶部に出力して記憶させる出力部と、
前記エラーが発生した状態で進行中の処理を中断させるための信号を受けると当該処理を中断する制御部と、
を備えたことを特徴とする有価媒体処理装置。
【請求項２】
前記エラーが発生すると、前記出力部は前記進行中の処理を中断することを促す信号を出力することを特徴とする請求項１に記載の有価媒体処理装置。
【請求項３】
前記エラーは所定の権限を有する者のみが解除することができ、
前記エラーが発生した場合に前記所定の権限を有する者以外の者による使用が不可能となることを特徴とする請求項１又は２のいずれかに記載の有価媒体処理装置。
【請求項４】
前記エラーが発生すると、前記出力部は他の有価媒体処理装置を用いて前記進行中の処理を完了させることを促す信号を出力することを特徴とする請求項１乃至３のいずれか１項に記載の有価媒体処理装置。
【請求項５】
前記エラーが発生すると、前記出力部は当該エラーを解除した後で前記進行中の処理を完了させることを促す信号を出力することを特徴とする請求項１乃至４のいずれか１項に記載の有価媒体処理装置。
【請求項６】
前記エラーは所定の権限を有する者のみが解除することができ、
前記エラーが発生すると、前記出力部は、前記所定の権限を有する者に対して、前記エラーが発生した旨の情報を出力することを特徴とする請求項１乃至５のいずれか１項に記載の有価媒体処理装置。
【請求項７】
前記進行中の処理の残りの有価媒体に関する情報は前記エラーを解除した後で取得され、
前記回収部に収納されたものとして判断された有価媒体に関する情報と、前記エラーを解除した後で取得された残りの有価媒体に関する情報とに基づいて、前記進行中の処理が完了されることを特徴とする請求項１乃至６のいずれか１項に記載の有価媒体処理装置。
【請求項８】
請求項１乃至６のいずれか１項に記載の有価媒体処理装置を備えた有価媒体処理システムであって、
前記進行中の処理の残りの有価媒体に関する情報は、前記有価媒体処理装置とは異なる有価媒体処理装置によって取得され、
前記回収部に収納されたものとして判断された有価媒体に関する情報と、前記異なる有価媒体処理装置によって取得された残りの有価媒体に関する情報とに基づいて、前記進行中の処理が完了されることを特徴とする有価媒体処理システム。
【請求項９】
有価媒体を処理する有価媒体処理装置において、
筐体と、
有価媒体を一時的に保留する一時保留部と、
前記一時保留部で一時的に保留されていた有価媒体を収納する回収部と、
前記回収部を外部に取り出す際に開けられる取出し部と、
前記取出し部を前記筐体に対して施開錠するためのロック部と、
前記回収部が前記筐体内に設置されているかを検知するための検知部と、
（ａ）通常状態では、前記検知部の検知結果より前記回収部が前記筐体内に設置されていないと判断されたときには、前記ロック部によって前記取出し部が前記筐体に対して施錠されないが、（ｂ）所定の信号が入力されると、前記検知部の検知結果より前記回収部が前記筐体内に設置されていないと判断されたときであっても、前記ロック部によって前記取出し部が前記筐体に対して施錠されることを特徴とする有価媒体処理装置。
【請求項１０】
前記回収部は、前記筐体に設置されている設置回収部と、前記設置回収部と交換するための交換用回収部とを含み、
前記交換用回収部を前記筐体に設置することができない旨入力された場合に、前記所定の信号が入力可能となることを特徴とする請求項９に記載の有価媒体処理装置。
【請求項１１】
前記回収部は、前記筐体に設置されている設置回収部と、前記設置回収部と交換するための交換用回収部とを含み、
前記設置回収部を前記筐体から取り出した後で所定の時間が経過しても前記交換用回収部の設置が完了しない場合に、前記所定の信号が入力可能となることを特徴とする請求項９又は１０のいずれかに記載の有価媒体処理装置。
【請求項１２】
前記所定の信号が入力可能となったときに、前記所定の信号を入力するよう促す信号を出力する出力部をさらに備えたことを特徴とする請求項１０又は１１のいずれかに記載の有価媒体処理装置。
【請求項１３】
前記ロック部によって前記取出し部が前記筐体に対して施錠されないときには、前記取出し部が前記筐体に対して開放された状態になることを特徴とする請求項９乃至１２のいずれか１項に記載の有価媒体処理装置。
【請求項１４】
前記回収部は、前記筐体に設置されている設置回収部と、前記設置回収部と交換するための交換用回収部とを含み、
前記交換用回収部を前記筐体に設置することができないエラーが発生すると、別の交換用回収部を設置することを促す情報を出力する出力部をさらに備えたことを特徴とする請求項９乃至１３のいずれか１項に記載の有価媒体処理装置。
【請求項１５】
有価媒体を一時的に保留する一時保留部と、前記一時保留部で一時的に保留されていた有価媒体を収納する回収部とを有する有価媒体処理装置を用いて処理方法であって、
前記一時保留部から前記回収部に有価媒体を収納する際にエラーが発生した場合に、前記有価媒体に関する情報を記憶部が記憶することと、
前記エラーが発生した状態で進行中の処理を中断させるための信号を受けると制御部が当該処理を中断することと、
を備えたことを特徴とする処理方法。
【発明の詳細な説明】
【技術分野】
【０００１】
本発明は、有価媒体を処理する有価媒体処理装置及び有価媒体処理システムと、有価媒体処理装置を用いた処理方法に関する。
【背景技術】
【０００２】
従来から、有価媒体を一時的に保留し、回収部の一例である回収カセットに収納する有価媒体処理装置が知られている。一例として、特許文献１では、紙幣を一括搬送部に一時的に保留し、当該紙幣を紙幣収納カセットに一括して収納させることが開示されている。また、この特許文献１では、一括搬送部に一時的に保留された硬貨が有価媒体収納部の硬貨収納カセットに落下し、この硬貨収納カセット内に収納されることも開示されている。
【先行技術文献】
【特許文献】
【０００３】
【特許文献１】特許第５４３０９８５号
【発明の概要】
【発明が解決しようとする課題】
【０００４】
特許文献１で示されるような従来の売上入金機等の有価媒体処理装置においては、一時保留部から回収部へと有価媒体を搬送する際に有価媒体の詰まり等のエラーが発生してしまうと、エラーが発生した有価媒体を一定の権限を有する者が回収部へ押し込む等していた。他方、このような一定の権限を有する者が不在である場合には、当該エラーを解除することができず、当該有価媒体処理装置を利用できない状態になってしまっていた。
【０００５】
また、何らしかの原因で交換用の回収カセットが変形等してしまった場合には当該交換用の回収カセットを筐体内に設置することができなくなる。このように交換用の回収カセットを筐体内に設置できない場合には、従来の有価媒体処理装置では、回収カセットを外部に取り出す際に開けられる取出し部をロックすることができなかった。
【０００６】
本発明は、このような点を鑑みてなされたものであり、一時保留部から回収部へと有価媒体を搬送する際に有価媒体の詰まり等のエラーが発生してしまったり、交換用回収部を筐体内に設置できない状態が発生してしまったりする不都合が発生しても、当該不都合を解消することなく進行中の処理を暫定的に終了させることができる有価媒体処理装置及び有価媒体処理システムと、有価媒体処理装置を用いた処理方法を提供する。
【課題を解決するための手段】
【０００７】
本発明の第１の態様による有価媒体処理装置は、
有価媒体を処理する有価媒体処理装置であって、
有価媒体を一時的に保留する一時保留部と、
前記一時保留部で一時的に保留されていた有価媒体を収納する回収部と、
前記一時保留部から前記回収部に有価媒体を収納する際にエラーが発生した場合であっても、前記有価媒体に関する情報を記憶部に出力して記憶させる出力部と、
前記エラーが発生した状態で進行中の処理を中断させるための信号を受けると当該処理を中断する制御部と、
を備える。
【０００８】
本発明の第１の態様による有価媒体処理装置において、
前記エラーが発生すると、前記出力部は前記進行中の処理を中断することを促す信号を出力してもよい。
【０００９】
本発明の第１の態様による有価媒体処理装置において、
前記エラーは所定の権限を有する者のみが解除することができ、
前記エラーが発生した場合に前記所定の権限を有する者以外の者による使用が不可能となってもよい。
【００１０】
本発明の第１の態様による有価媒体処理装置において、
前記エラーが発生すると、前記出力部は他の有価媒体処理装置を用いて前記進行中の処理を完了させることを促す信号を出力してもよい。
【００１１】
本発明の第１の態様による有価媒体処理装置において、
前記エラーが発生すると、前記出力部は当該エラーを解除した後で前記進行中の処理を完了させることを促す信号を出力してもよい。
【００１２】
本発明の第１の態様による有価媒体処理装置において、
前記エラーは所定の権限を有する者のみが解除することができ、
前記エラーが発生すると、前記出力部は、前記所定の権限を有する者に対して、前記エラーが発生した旨の情報を出力してもよい。
【００１３】
本発明の第１の態様による有価媒体処理装置において、
前記進行中の処理の残りの有価媒体に関する情報は前記エラーを解除した後で取得され、
前記回収部に収納されたものとして判断された有価媒体に関する情報と、前記エラーを解除した後で取得された残りの有価媒体に関する情報とに基づいて、前記進行中の処理が完了されてもよい。
【００１４】
本発明による有価媒体処理システムは、
上述した有価媒体処理装置を備えた有価媒体処理システムであって、
前記進行中の処理の残りの有価媒体に関する情報は、前記有価媒体処理装置とは異なる有価媒体処理装置によって取得され、
前記回収部に収納されたものとして判断された有価媒体に関する情報と、前記異なる有価媒体処理装置によって取得された残りの有価媒体に関する情報とに基づいて、前記進行中の処理が完了される。
【００１５】
本発明の第２の態様による有価媒体処理装置は、
有価媒体を処理する有価媒体処理装置であって、
筐体と、
有価媒体を一時的に保留する一時保留部と、
前記一時保留部で一時的に保留されていた有価媒体を収納する回収部と、
前記回収部を外部に取り出す際に開けられる取出し部と、
前記取出し部を前記筐体に対して施開錠するためのロック部と、
前記回収部が前記筐体内に設置されているかを検知するための検知部と、
（ａ）通常状態では、前記検知部の検知結果より前記回収部が前記筐体内に設置されていないと判断されたときには、前記ロック部によって前記取出し部が前記筐体に対して施錠されないが、（ｂ）所定の信号が入力されると、前記検知部の検知結果より前記回収部が前記筐体内に設置されていないと判断されたときであっても、前記ロック部によって前記取出し部が前記筐体に対して施錠される。
【００１６】
本発明の第２の態様による有価媒体処理装置において、
前記回収部は、前記筐体に設置されている設置回収部と、前記設置回収部と交換するための交換用回収部とを含み、
前記交換用回収部を前記筐体に設置することができない旨入力された場合に、前記所定の信号が入力可能となってもよい。
【００１７】
本発明の第２の態様による有価媒体処理装置において、
前記回収部は、前記筐体に設置されている設置回収部と、前記設置回収部と交換するための交換用回収部とを含み、
前記設置回収部を前記筐体から取り出した後で所定の時間が経過しても前記交換用回収部の設置が完了しない場合に、前記所定の信号が入力可能となってもよい。
【００１８】
本発明の第２の態様による有価媒体処理装置は、
前記所定の信号が入力可能となったときに、前記所定の信号を入力するよう促す信号を出力する出力部をさらに備えてもよい。
【００１９】
本発明の第２の態様による有価媒体処理装置において、
前記ロック部によって前記取出し部が前記筐体に対して施錠されないときには、前記取出し部が前記筐体に対して開放された状態になってもよい。
【００２０】
本発明の第２の態様による有価媒体処理装置において、
前記回収部は、前記筐体に設置されている設置回収部と、前記設置回収部と交換するための交換用回収部とを含み、
前記交換用回収部を前記筐体に設置することができないエラーが発生すると、別の交換用回収部を設置することを促す情報を出力する出力部をさらに備えてもよい。
【００２１】
本発明による処理方法は、
有価媒体を一時的に保留する一時保留部と、前記一時保留部で一時的に保留されていた有価媒体を収納する回収部とを有する有価媒体処理装置を用いて処理方法であって、
前記一時保留部から前記回収部に有価媒体を収納する際にエラーが発生した場合に、前記有価媒体に関する情報を記憶部が記憶することと、
前記エラーが発生した状態で進行中の処理を中断させるための信号を受けると制御部が当該処理を中断することと、
を備える。
【発明の効果】
【００２２】
本発明の第１の態様によれば、一時保留部から回収部に有価媒体を収納する際にエラーが発生した場合に、当該有価媒体に関する情報を記憶部に記憶させる。また、エラーが発生した状態で進行中の処理を中断させるための信号を受けると当該処理を中断する。このため、一時保留部から回収部へと有価媒体を搬送する際に有価媒体の詰まり等のエラーが発生してしまっても、当該不都合を解消することなく進行中の処理を暫定的に終了させることができる。
【００２３】
また、本発明の第２の態様によれば、所定の信号が入力されると、検知部の検知結果より回収部が筐体内に設置されていないと判断されたときであっても、ロック部によって取出し部が筐体に対して施錠される。このため、交換用回収部を筐体内に設置できない状態が発生してしまう不都合が発生しても、当該不都合を解消することなく進行中の処理を暫定的に終了させることができる。
【図面の簡単な説明】
【００２４】
【図１】図１は、本発明の実施の形態による有価媒体処理システムの全体構成の一例を示す概略図である。
【図２】図２は、本発明の実施の形態による有価媒体処理システムの全体構成の別の例を示す概略図である。
【図３】図３は、本発明の実施の形態による有価媒体処理装置の外観を示す斜視図である。
【図４】図４は、本発明の実施の形態による有価媒体処理装置の内部構成を示す側方断面図である。
【図５】図５は、本発明の実施の形態による有価媒体処理装置の制御ブロック図である。
【図６】図６は、本発明の実施の形態において、設置回収部を交換用回収部に交換する際の態様を説明するための側方断面図である。
【図７】図７は、本発明の実施の形態による有価媒体処理装置の正常時における入金処理のフローを示した図である。
【図８】図８（ａ）は、本発明の実施の形態による有価媒体処理装置の正常時において、操作表示部等の表示部に表示される画面の一例を示した図であり、図８（ｂ）は図８（ａ）から遷移した画面を示した図である。
【図９】図９は、本発明の実施の形態による有価媒体処理装置の入金処理で異常が発生したときにおけるフローを示した図である。
【図１０】図１０（ａ）は、本発明の実施の形態による有価媒体処理装置の入金処理で異常が発生したときにおいて、操作表示部等の表示部に表示される画面の一例を示した図であり、図１０（ｂ）は図１０（ａ）から遷移した画面を示した図であり、図１０（ｃ）は図１０（ｂ）から遷移した画面を示した図であり、図１０（ｄ）は図１０（ｃ）から遷移した画面を示した図である。
【図１１】図１１は、本発明の実施の形態による有価媒体処理装置の正常時における回収処理のフローを示した図である。
【図１２】図１２（ａ）は、本発明の実施の形態による有価媒体処理装置の正常時において、操作表示部等の表示部に表示される画面の一例を示した図であり、図１２（ｂ）は図１２（ａ）から遷移した画面を示した図である。
【図１３】図１３は、本発明の実施の形態による有価媒体処理装置の回収処理で異常が発生したときにおけるフローを示した図である。
【図１４】図１４は、本発明の実施の形態による有価媒体処理装置の回収処理で異常が発生したときにおいて、操作表示部等の表示部に表示される画面の一例を示した図である。
【図１５】図１５（ａ）は、本発明の実施の形態による有価媒体処理装置に変形していない交換用回収部を設置する際に、操作表示部等の表示部に表示される画面の一例を示した図であり、図１５（ｂ）は図１５（ａ）から遷移した画面を示した図である。
【発明を実施するための形態】
【００２５】
実施の形態
《構成》
以下、本発明に係る有価媒体処理装置、有価媒体処理システム及び有価媒体処理方法の実施の形態について、図面を参照して説明する。ここで、図１乃至図１５は本発明の実施の形態を説明するための図である。なお、本実施の形態では有価媒体処理装置１００として、紙幣、商品券等の紙葉類、並びに、硬貨を入金するための有価媒体処理装置（典型的には売上入金機）１００を用いて説明するが、これはあくまでも一例であり、有価媒体入出金機（典型的には売上入出金機）、有価媒体両替機（典型的には貨幣両替機）等の様々な有価媒体処理装置１００を用いることができる点には留意が必要である。ところで、本願において、有価媒体とは、紙幣、硬貨、小切手、商品券、バーコードチケット、チップ、コイン等のことを意味し、本願において「貨幣」とは、硬貨、紙幣、又は、硬貨及び紙幣の両方のことを意味する。
【００２６】
［全体のシステム構成］
まず、全体のシステム構成について説明する。
【００２７】
スーパーマーケットを例に取ると、図１に示すように、一般にスーパーマーケットには、商品を陳列した商品陳列棚等の商品陳列部２８０のある売り場と、売り場に併設されたレジコーナーとがある。このレジコーナーに、ＰＯＳレジスタ２５０と、ＰＯＳレジスタ２５０に接続された貨幣釣銭機２００が設置されている。この貨幣釣銭機２００は、硬貨を処理する硬貨釣銭機２１０と、紙幣を処理する紙幣釣銭機２２０と、を備えている。なお、硬貨釣銭機２１０と紙幣釣銭機２２０とは別体となっていてもよいが一体となっていてもよい。基本的には、ＰＯＳレジスタ２５０と貨幣釣銭機２００とが一対一の関係で設置されている。レジコーナーには、１組以上のＰＯＳレジスタ２５０と貨幣釣銭機２００が設置されており、図１に示した態様では４組のＰＯＳレジスタ２５０と貨幣釣銭機２００が設置されている。
【００２８】
上述した売り場及びレジコーナーから区切られた空間に出納室がある。この出納室内に、貨幣釣銭機２００から回収された紙幣、商品券、硬貨等の有価媒体の入金を行うための一つもしくは複数の有価媒体入金機、有価媒体入出金機等からなる有価媒体処理装置１００が設置されている。なお、有価媒体処理装置１００に入金された紙幣、商品券、硬貨等の有価媒体は、例えば、警備会社によって回収されることとなる。有価媒体入金機は貨幣釣銭機２００から回収された有価媒体の入金処理を行うことができる装置であり、有価媒体入出金機は、有価媒体等の有価媒体を出金する出金部を備え、貨幣釣銭機２００から回収された有価媒体の入金を行だけではなく出金処理を行うこともできる装置である。
【００２９】
次にショッピングセンターを例に取ると、図２に示すように、ショッピングセンターには、ショッピングセンターを経営する会社の権限下にある直営店と、ショッピングセンターを経営する会社以外の会社の権限下にあるテナント店とがある。直営店には、一組又は複数組のＰＯＳレジスタ２５０と貨幣釣銭機２００（より具体的には、硬貨釣銭機２１０及び紙幣釣銭機２２０）が設置されている。また、テナント店にも、一組又は複数組のＰＯＳレジスタ２５０と貨幣釣銭機２００が設置されている。なお、このような態様ではなく、複数のテナント店に対して一組又は複数組のＰＯＳレジスタ２５０と貨幣釣銭機２００が設置されることもある。このように複数のテナント店に対して一組又は複数組のＰＯＳレジスタ２５０と貨幣釣銭機２００が設置されている場合には、当該ＰＯＳレジスタ２５０と貨幣釣銭機２００は売り場から区切られた空間にある出納室内に設置されてもよい。更には、貨幣釣銭機２００が設置されていない店舗もあり（図２の右下のテナントを参照）、このような店舗では、有価媒体はＰＯＳレジスタ２５０のドロア等に保管される。
【００３０】
上述したショッピングセンターの出納室にも、貨幣釣銭機２００やＰＯＳレジスタ２５０のドロア等から回収された紙幣、商品券、硬貨等の有価媒体の入金を行うための一つ又は複数の有価媒体処理装置１００が設置されている。ショッピングセンターにおいても、有価媒体処理装置１００に入金された紙幣、商品券、硬貨等の有価媒体は、例えば、警備会社によって回収されて、金融機関に搬送されることとなる。
【００３１】
［有価媒体処理装置１００の構成］
次に、有価媒体処理装置１００の構成について説明する。
【００３２】
図３に示すように、有価媒体処理装置１００は筐体１１を有している。そして、有価媒体処理装置１００を前面から見て筐体１１の右側に紙幣、商品券等の紙葉類を処理するための紙葉類処理部２０が位置している。また、有価媒体処理装置１００を前面から見て筐体１１の左側に硬貨を処理するための硬貨処理部４０が位置している。また、有価媒体処理装置１００の筐体１１の下部には、紙葉類及び硬貨を収容するための収容部６０が設けられている。有価媒体処理装置１００の前面側にはタッチパネル等からなる操作表示部７１と、この操作表示部７１の側方には、操作者の磁気カード等からなるＩＤカードを読み取る操作者識別情報読取部としてのカードリーダ７５が設けられている。操作表示部７１には操作ガイダンス、入金処理における入金データや、締め時又は回収処理における集計データ等が表示されてもよい。また、有価媒体処理装置１００はプリンタ等の印刷部（図示せず）を有していてもよい。この印刷部では、入金処理における入金データや、締め時又は回収処理における集計データが印刷されてもよいし、操作表示部７１で表示されている画面や後述する記憶部８０で記憶されている情報が印刷されてもよい。
【００３３】
まず紙葉類処理部２０の構成について、図３及び図４を用いて説明する。なお、図４においては、紙葉類処理部２０の構成と硬貨処理部４０の構成を１枚の図面に表示するために、紙葉類処理部２０及び硬貨処理部４０の両者が前後に位置するように模式的に描かれていることには留意が必要である。紙葉類処理部２０は、入金する紙葉類を複数枚一括して受け入れ可能な紙葉類受入部２１と、紙葉類受入部２１で受け入れた紙葉類のうち後述する紙葉類識別部２５で識別できなかった紙葉類や後述する紙葉類一時保留部２６に収容されない紙葉類を返却するための紙葉類リジェクト部２９と、を有し、これらの紙葉類受入部２１及び紙葉類リジェクト部２９が筐体１１の前面上部の右側で上から順に設置されている。なお、紙葉類リジェクト部２９は前面が開放しており、外部から収容された紙葉類を取り出すことができるようになっている。
【００３４】
紙葉類処理部２０は、紙葉類受入部２１で受け入れられた紙葉類を筐体１１内に（図４の右方向へ向けて）１枚ずつ紙葉類を繰り出す紙葉類繰出部２２と、この紙葉類繰出部２２から１枚ずつ繰り出される紙葉類を受け入れて搬送する紙葉類搬送部２３と、この紙葉類搬送部２３により搬送される紙幣の金種、真偽、正損等や、商品券の番号等の識別を行う紙葉類識別部２５と、を有している。紙葉類識別部２５は紙葉類搬送部２３で搬送される紙幣、商品券等の紙葉類のイメージを取得するイメージセンサを有している。
【００３５】
紙葉類搬送部２３には、所定枚数（例えば１００枚）までの紙葉類を収容するための紙葉類スタッカ２８と、上述した紙葉類リジェクト部２９が連結されている。なお、紙葉類搬送部２３には、この紙葉類搬送部２３で搬送される紙葉類を適宜分岐する複数の紙葉類分岐部３９が設けられている。本実施の形態の紙葉類スタッカ２８にはシャッタ２８ａ（図３参照）が設けられており、シャッタ２８ａが開状態になると外部から紙葉類スタッカ２８内に収納された紙葉類を取り出すことができ、他方、シャッタ２８ａが閉状態になると外部から紙葉類スタッカ２８内に収納された紙葉類を取り出すことができなくなる。
【００３６】
また、紙葉類搬送部２３には、紙葉類搬送部２３から送り込まれる紙葉類を一時的に保留する紙葉類一時保留部２６が連結されている。本実施の形態では、紙葉類一時保留部２６は、二つの紙葉類一時保留部２６ａ，２６ｂを有しており、より具体的には、前方側（図４の左側）に配置された第一紙葉類一時保留部２６ａと、後方側（図４の右側）に配置された第二紙葉類一時保留部２６ｂと、を有している。各紙葉類一時保留部２６は、その底面が開放可能となっている。そして、例えば操作表示部７１に表示された確定ボタンを押下することで入金金額等について承認されると、又は、例えば後述する［完了］キー（図１０（ｂ）を参照）が押下されて紙葉類一時保留部２６に収納された紙葉類を紙葉類カセット６１に移動させることを完了させる旨が入力されると、各紙葉類一時保留部２６の底面が開放され、その結果、第一紙葉類一時保留部２６ａに収納されている紙葉類は後述する第一紙葉類カセット６１ａに送り込まれ、第二紙葉類一時保留部２６ｂに収納されている紙葉類は後述する第二紙葉類カセット６１ｂに送り込まれることとなる。他方、例えば操作表示部７１に表示された非承認ボタンを押下したり一定時間にわたり確定ボタンを押下しないこと等によって入金金額等について非承認となったと紙葉類制御部３０（後述する）が判断すると、ロック部８２によるロックが解除されて、第一紙葉類一時保留部２６ａ内に収容された紙葉類を取り出すことができる。また、このようにロック部８２によるロックが解除されることで、第一紙葉類一時保留部２６ａ、第二紙葉類一時保留部２６ｂ及び紙葉類スタッカ２８を一体として筐体１１から引き出すことができ、引き出した第二紙葉類一時保留部２６ｂを水平方向後方側（図４の右側）にスライドさせることで、第二紙葉類一時保留部２６ｂ内に収容された紙葉類を取り出すことができる。
【００３７】
また、本実施の形態の紙葉類処理部２０は、例えばインクジェットプリンタ等からなる消し込み部７７を有している。この消し込み部７７は、商品券に例えば回収済みであることを示す所定の内容を印字するようになっている。なお、この消し込み部７７によって商品券に所定の内容を印字するか否かについては、操作表示部７１を操作することで切り換えることができるようになっている。
【００３８】
次に、硬貨処理部４０の構成について図３及び図４を用いて説明する。硬貨処理部４０は、入金する硬貨を受け入れる硬貨受入部４１と、硬貨受入部４１で受け入れた硬貨のうち後述する硬貨識別部４５で識別できなかった硬貨等をリジェクトするための硬貨リジェクト部４９と、硬貨受入部４１で受け入れた硬貨を収容する前に入金がキャンセルされた場合に当該硬貨を返却するための硬貨返却部４７と、を有している。
【００３９】
また、図４に示すように、硬貨処理部４０は、硬貨受入部４１で受け入れられた硬貨を筐体１１内に１枚ずつ繰り出す硬貨繰出部４２と、この硬貨繰出部４２から１枚ずつ繰り出される硬貨を受け入れて搬送する硬貨搬送部４３と、この硬貨搬送部４３により搬送される硬貨の金種、真偽、正損等の識別を行う硬貨識別部４５と、を有している。また、硬貨搬送部４３には、この硬貨搬送部４３で搬送される硬貨をソレノイドを駆動することで適宜分岐する複数の硬貨分岐部５９が設けられている。また、硬貨搬送部４３には、硬貨分岐部５９で分岐されたリジェクト硬貨を案内するためのリジェクトシュート４９ａが設けられており、リジェクト硬貨は当該リジェクトシュート４９ａを落下して硬貨リジェクト部４９へと導かれる。
【００４０】
また、硬貨搬送部４３には、硬貨搬送部４３から送り込まれる硬貨を一時的に保留し、当該硬貨の収容時には硬貨を下方の収容部６０側に移動させ、他方、当該硬貨の返却時には硬貨を下方の硬貨返却部４７に移動させる硬貨一時保留部４６が連結されている。各硬貨一時保留部４６は、下面が開放した枠体と、枠体の下面を覆うようにして設けられた底板と、を有している。そして、例えば操作表示部７１に表示された確定ボタンを押下することで入金金額等について承認されると、又は、例えば後述する［完了］キーが押下されて硬貨一時保留部４６に収納された硬貨を硬貨カセット６６に移動させることを完了させる旨の入力されると、枠体が硬貨カセット６６側へ移動して、硬貨一時保留部４６内の硬貨が硬貨カセット６６内に送り込まれる。他方、例えば操作表示部７１に表示された非承認ボタンを押下したり一定時間にわたり確定ボタンを押下しないこと等によって入金金額等について非承認となったと紙葉類制御部３０が判断すると、底板が水平方向に移動して、硬貨一時保留部４６内の硬貨が硬貨返却部４７に送り込まれる。なお、本実施の形態では、硬貨一時保留部４６が第一硬貨一時保留部４６ａと第二硬貨一時保留部４６ｂを有する態様となっているが、これはあくまでも一例であり、硬貨一時保留部４６は各金種に対応した複数（例えば６つ）の硬貨一時保留部４６を有していてもよい。そして、このように硬貨一時保留部４６が各金種に対応した複数（例えば６つ）の硬貨一時保留部４６を有している場合には、硬貨返却部４７も各金種に対応した複数（例えば６つ）の硬貨返却部を有していてもよい。
【００４１】
ちなみに、紙葉類一時保留部２６から紙葉類カセット６１に紙葉類を移動させたり、硬貨一時保留部４６から硬貨カセット６６に硬貨を移動させたりする際には、毎回、その旨を入力する必要は必ずしもなく、一定量の紙葉類が紙葉類一時保留部２６に収納されたとき又は一定量の硬貨が硬貨一時保留部４６に収納されたときに、自動で、紙葉類一時保留部２６から紙葉類カセット６１に紙葉類を移動させたり、硬貨一時保留部４６から硬貨カセット６６に硬貨を移動させたりするようにしてもよい。
【００４２】
なお、硬貨リジェクト部４９の後方側（図４の右側）に硬貨返却部４７が設けられている。そして、上述したようにロック部８２によるロックが解除されることで、これら硬貨リジェクト部４９及び硬貨返却部４７を一体として筐体１１から引き出すことができ、硬貨リジェクト部４９に収容された硬貨や硬貨返却部４７に返却された硬貨を取り出すことができるようになっている。
【００４３】
本実施の形態では、操作表示部７１を操作することで、第１権限を有する者（例えば店舗の上位者）によって紙葉類カセット６１に収容された紙葉類及び硬貨カセット６６に収容された硬貨を回収することができる第１モードと、第２権限を有する者（例えば警備会社の社員）によって紙葉類カセット６１に収容された紙葉類及び硬貨カセット６６に収容された硬貨を回収することができる回収することができる第２モードとを、適宜切り換えることができるようになっていてもよい。なお、例えば店舗のレジ係等は第１権限よりも低い第３権限を有している。
【００４４】
ちなみに、本実施の形態の有価媒体処理装置１００では、紙葉類カセット６１及び硬貨カセット６６は第２権限を有する者が所属する警備会社の権限下（第２管理権限下）にあり、紙葉類一時保留部２６、硬貨返却部４７及び硬貨リジェクト部４９を含み、これらの上方の領域に位置する有価媒体は原則第１権限及び第３権限を有する者が所属する店舗の権限下（第１管理権限下）にある（図４参照）。なお、紙葉類一時保留部２６及び硬貨一時保留部４６に収納された有価媒体を紙葉類カセット６１及び硬貨カセット６６に移動させることを完了させる旨の入力が操作表示部７１等から行われると、（仮にエラーが発生したとしても）紙葉類一時保留部２６及び硬貨一時保留部４６に収納された有価媒体は第１管理権限下から第２管理権限下に移り、かつ、（仮にエラーが発生したとしても）紙葉類一時保留部２６及び硬貨一時保留部４６に収納された有価媒体は紙葉類カセット６１及び硬貨カセット６６に収納されたものとして取り扱われる。なお、本実施の形態では、以下の記載において、紙葉類一時保留部２６に収納されていた紙葉類が紙葉類カセット６１に収納される際に発生したエラー、及び／又は、硬貨一時保留部４６に収納されていた硬貨が硬貨カセット６６に収納される際に発生したエラーのことを「収納エラー」と呼ぶこととする。
【００４５】
ところで、本実施の形態では、第一紙葉類カセット６１ａ、第二紙葉類カセット６１ｂ、第一硬貨カセット６６ａ及び第二硬貨カセット６６ｂが警備会社の権限下（第２管理権限下）にあるものとして説明するが、これに限られることはなく、第一紙葉類カセット６１ａ及び第二紙葉類カセット６１ｂのいずれか１つ以上が店舗の権限下（第１管理権限下）にあってもよいし、第一硬貨カセット６６ａ及び第二硬貨カセット６６ｂのいずれか１つ以上が店舗の権限下（第１管理権限下）にあってもよい。また、第一紙葉類カセット６１ａ及び第二紙葉類カセット６１ｂの一方に商品券を収納させ、第一紙葉類カセット６１ａ及び第二紙葉類カセット６１ｂの他方に紙幣を収納させるようにしてもよいし、また、第一紙葉類カセット６１ａ及び第二紙葉類カセット６１ｂの両方に紙幣を収納させるようにしてもよい。
【００４６】
なお、上述した紙葉類カセット６１に収容された紙幣、商品券等の紙葉類と、硬貨カセット６６に収容された硬貨が、例えば警備会社によって回収されて、金融機関に輸送されることとなる。
【００４７】
図４に示すように、上述した収容部６０は、開閉可能な開閉扉６３と、開閉扉６３の後方側に設けられた収容空間６２と、当該収容空間６２に対して着脱自在に設置され、紙葉類を収容するための紙葉類カセット６１と、当該収容空間６２に対して着脱自在に設置され、硬貨を収容するための硬貨カセット６６と、を有している。この紙葉類カセット６１は、第一紙葉類一時保留部２６ａで一時保留された紙葉類を収容することができる第一紙葉類カセット６１ａと、第二紙葉類一時保留部２６ｂで一時保留された紙葉類を収容することができる第二紙葉類カセット６１ｂと、を有している。また、硬貨カセット６６は、第一硬貨一時保留部４６ａで一時保留された硬貨を収容することができる第一硬貨カセット６６ａと、第二硬貨一時保留部４６ｂで一時保留された硬貨を収容することができる第二硬貨カセット６６ｂと、を有している。
【００４８】
本実施の形態の開閉扉６３は、紙葉類カセット６１及び／又は硬貨カセット６６を外部に取り出す際に開けられるものであり、特許請求の範囲の「取出し部」に含まれている。また、上述したロック部８２は、開閉扉６３に対しては、開閉扉６３を筐体１１に対して施開錠するようにもなっており、このロック部８２によって開閉扉６３を筐体１１に対して閉じた状態でロックすることができるようになっている。
【００４９】
図４に示すように、収容部６０の内部には、紙葉類カセット６１及び／又は硬貨カセット６６が筐体１１内に設置されているかを検知するための検知部１６１，１６６が設けられてもよい。この検知部１６１，１６６は、第一紙葉類カセット６１ａが筐体１１内に設置されているかを検知するための第一紙葉類検知部１６１ａと、第二紙葉類カセット６１ｂが筐体１１内に設置されているかを検知するための第二紙葉類検知部１６１ｂと、第一硬貨カセット６６ａが筐体１１内に設置されているかを検知するための第一硬貨検知部１６６ａと、第二硬貨カセット６６ｂが筐体１１内に設置されているかを検知するための第二硬貨検知部１６６ｂと、を有している。第一紙葉類検知部１６１ａ及び第二紙葉類検知部１６１ｂは紙葉類検知部１６１に含まれ、第一硬貨検知部１６６ａ及び第二硬貨検知部１６６ｂは硬貨検知部１６６に含まれる（図５参照）。
【００５０】
図５に示すように、有価媒体処理装置１００は、識別情報（識別辞書）、分類パターン等の様々な情報を記憶する記憶部８０と、パソコン等の外部装置との接続に用いられ、識別情報や分類パターン情報を外部装置から受信したり、入金結果や回収結果を外部装置に送信したりするために用いられるインターフェース９０と、紙葉類処理部２０を制御する紙葉類制御部３０と、硬貨処理部４０を制御する硬貨制御部５０と、有価媒体処理装置１００全体を制御する本体制御部７０と、を備えている。そして、本体制御部７０に、ロック部８２、後述する出力部８１、操作表示部７１、カードリーダ７５、記憶部８０、インターフェース９０、紙葉類制御部３０及び硬貨制御部５０の各々が接続されている。また、紙葉類制御部３０には、紙葉類識別部２５、紙葉類搬送部２３、紙葉類操出部２２、紙葉類分岐部３９、紙葉類リジェクト部２９、紙葉類一時保留部２６、紙葉類スタッカ２８等が接続されている。また、硬貨制御部５０には、硬貨搬送部４３、硬貨識別部４５、硬貨操出部４２、硬貨一時保留部４６、硬貨分岐部５９、硬貨返却部４７、硬貨リジェクト部４９等が接続されている。本体制御部７０は当該本体制御部７０に接続された各構成要素から情報を取得したり指令を与えたりするようになり、紙葉類制御部３０は当該紙葉類制御部３０に接続された各構成要素から情報を取得したり指令を与えたりするようになり、硬貨制御部５０は当該硬貨制御部５０に接続された各構成要素から情報を取得したり指令を与えたりするようになっている。
【００５１】
ところで、本実施の形態の紙葉類一時保留部２６及び硬貨一時保留部４６は、特許請求の範囲に記載された「一時保留部」に含まれている。以下では、第一紙葉類一時保留部２６ａ、第二紙葉類一時保留部２６ｂ、第一硬貨一時保留部４６ａ及び第二硬貨一時保留部４６ｂのいずれか１つ以上を示す用語として「一時保留部２６，４６」を用いて説明する。
【００５２】
また、紙葉類カセット６１及び硬貨カセット６６は、特許請求の範囲に記載された「回収部」に含まれている。以下では、第一紙葉類カセット６１ａ、第二紙葉類カセット６１ｂ、第一硬貨カセット６６ａ及び第二硬貨カセット６６ｂのいずれか１つ以上を示す用語として「回収部６１，６６」を用いて説明する。
【００５３】
また、本体制御部７０、紙葉類制御部３０及び硬貨制御部５０は、特許請求の範囲に記載された「制御部」に含まれている。そして、本体制御部７０、紙葉類制御部３０及び硬貨制御部５０のうちのいずれか１つ以上が、収納エラーが発生した状態で進行中の処理を中断させるための信号を受けると当該処理を中断するように制御してもよい。また、このように収納エラーが発生した場合には、有価媒体処理装置１００は所定の権限を有する者（例えば第１権限を有する者）以外の者による使用が不可能となってもよい。以下では、本体制御部７０、紙葉類制御部３０及び硬貨制御部５０のいずれか１つ以上を示す用語として「制御部３０，５０，７０」を用いて説明する。ちなみに、特許請求の範囲に記載された「制御部」の役割を典型的には本体制御部７０が果たす。
【００５４】
なお、紙葉類一時保留部２６に収納されていた紙葉類が紙葉類カセット６１に収納される際にのみ収納エラーが発生した場合であって進行中の処理が中断された場合には、収納エラーが発生していない硬貨については硬貨カセット６６へ収納される処理が行われず、（残っている場合には）第３権限を有する者によって硬貨一時保留部４６内等にある硬貨が回収されるようにしてもよい。この際、紙葉類受入部２１等に載置された紙葉類のように紙葉類一時保留部２６以外にある紙葉類も第３権限を有する者によって回収されるようにしてもよい。他方、硬貨一時保留部４６に収納されていた硬貨が硬貨カセット６６側に収納される際にのみ収納エラーが発生した場合であって進行中の処理が中断された場合には、収納エラーが発生していない紙葉類については紙葉類カセット６１へ収納される処理が行われず、（残っている場合には）第３権限を有する者によって紙葉類カセット６１内等にある紙葉類が回収されるようにしてもよい。この際、硬貨受入部４１等に載置された硬貨のように硬貨一時保留部４６以外にある硬貨も第３権限を有する者によって回収されるようにしてもよい。
【００５５】
ちなみに、紙葉類一時保留部２６に収納された紙葉類を紙葉類カセット６１に移動させることを完了させる旨の入力、又は、硬貨一時保留部４６に収納された硬貨を硬貨カセット６６に移動させることを完了させる旨の入力が行われるまでは、有価媒体が店舗の権限下（第１管理権限下）にあるので、有価媒体の詰まり等のエラーが発生しても、第３権限を有する者でも筐体１１を開けて自由に当該エラーを解除できる。他方、紙葉類一時保留部２６に収納された紙葉類を紙葉類カセット６１に移動させることを完了させる旨の入力が行われると、紙葉類一時保留部２６にある紙葉類は警備会社の権限下（第２管理権限下）に移るので、一例としては、当該紙葉類一時保留部２６内に第３権限を有する者がアクセスできず、第１権限を有する者のみが紙葉類一時保留部２６内にアクセスできるようになる。同様に、硬貨一時保留部４６に収納された紙葉類を硬貨カセット６６に移動させることを完了させる旨の入力が行われると、硬貨一時保留部４６にある硬貨は警備会社の権限下（第２管理権限下）に移るので、一例としては、当該硬貨一時保留部４６内に第３権限を有する者がアクセスできず、第１権限を有する者のみが硬貨一時保留部４６内にアクセスできるようになる。ちなみに、第２権限を有する者は第１管理権限下にないことから、一時保留部２６，４６内にアクセスできないようになっていることがある。
【００５６】
上述したように、紙葉類一時保留部２６及び硬貨一時保留部４６に収納された有価媒体を紙葉類カセット６１及び硬貨カセット６６に移動させることを完了させる旨の入力が操作表示部７１等から行われると、（仮に収納エラーが発生したとしても）紙葉類一時保留部２６及び硬貨一時保留部４６に収納された有価媒体は紙葉類カセット６１及び硬貨カセット６６に収納されたものとして取り扱われることになる。このような取り扱いを行うために、本実施の形態では、紙葉類一時保留部２６及び／又は硬貨一時保留部４６に収納された有価媒体を紙葉類カセット６１及び／又は硬貨カセット６６に移動させることを完了させる旨の入力が操作表示部７１等から行われると、一時保留部２６，４６に収納されていた有価媒体に関する情報、より具体的には一時保留部２６，４６に収納されていた有価媒体の金種別枚数、合計金額等を記憶部８０に出力して記憶させるための出力部８１が設けられている（図５参照）。
【００５７】
この出力部８１は、収納エラーが発生すると進行中の処理を中断することを促す信号を出力するようにしてもよい。また、出力部８１は、収納エラーが発生すると、他の有価媒体処理装置１００を用いて進行中の処理を完了させることを促す信号を出力するようにしてもよい。また、出力部８１は、収納エラーが発生すると、当該収納エラーを解除した後で進行中の処理を完了させることを促す信号を出力するようにしてもよい。このように出力部８１によって出力される情報は操作表示部７１で表示されてもよい。
【００５８】
上述したように、収納エラーは、第１権限を有する者（例えば店舗の上位者）によって解除することができるものの、第３権限しか有さない者（例えば店舗のレジ係）によって解除することができない。このため、一時保留部２６，４６から回収部６１，６６に貨幣を収納する際に収納エラーが発生してしまうと、当該収納エラーを第１権限を有する者に解除してもらう必要がある。このため、このような収納エラーが発生した場合には、出力部８１が所定の権限を有する者、つまり第１権限を有する者に対して、当該収納エラーが発生した旨の情報を出力するようにしてもよい。この情報は、出納室等に設置されている管理装置等の上位装置に出力されてもよい。また、第１権限を有する者の携帯電話、スマートフォン、ＰＣ等のメールアドレスが予め記憶部８０に記憶されており、当該メールアドレスに収納エラーが発生した旨の情報が送信されるようになっていてもよい。
【００５９】
なお、この態様では、収納エラーが発生したことや、収納エラーが発生した時間、収納エラーが発生した有価媒体処理装置１００の装置番号、収納エラーの解除が必要であること等が出力され、場合によっては第１権限を有する者のメールアドレスにこれらの情報が送られることとなる。なお、昨今では２４時間営業等の長時間にわたり営業を行う店舗が増えていることから、第１権限を有する者が店舗内にいないケースがある。この点、本態様によれば、遠隔地にいる第１権限を有する者（例えば店舗の上位者）に収納エラーの解除が必要であることを知らせることができる点で有益である。
【００６０】
また、進行中の処理の残りの有価媒体に関する情報が、発生した収納エラーを解除した後で、対象となっている有価媒体処理装置１００から取得されるようになってもよい。このような態様においては、回収部６１，６６に収納されたものとして判断された有価媒体に関する情報（より具体的には有価媒体の金種別枚数や合計金額等）と、収納エラーを解除した後で取得された残りの有価媒体に関する情報（より具体的には有価媒体の金種別枚数や合計金額等）とに基づいて、入金合計金額が算出されて、進行中の処理が完了されてもよい。
【００６１】
また、このような態様に代えて又はこのような態様と併用して、進行中の処理の残りの有価媒体に関する情報が、収納エラーで作動できなくなった有価媒体処理装置１００とは異なる有価媒体処理装置１００によって取得されるようになってもよい。このような態様においては、回収部６１，６６に収納されたものとして判断された有価媒体に関する情報と、異なる有価媒体処理装置１００によって取得された残りの有価媒体に関する情報とに基づいて、進行中の処理が完了されてもよい。回収部６１，６６に収納されたものとして判断された有価媒体に関する情報は、直接、又は、管理装置や親機（同じタイプの有価媒体処理装置１００であるが親機として機能する装置）等を介して上述した「異なる有価媒体処理装置１００」に送られてもよい。このような態様によれば、当該「異なる有価媒体処理装置１００」において、回収部６１，６６に収納されたものとして判断された有価媒体に関する情報（より具体的には有価媒体の金種別枚数や合計金額等）と、異なる有価媒体処理装置１００によって取得された残りの有価媒体に関する情報（より具体的には有価媒体の金種別枚数や合計金額等）とに基づいて、入金合計金額が算出されて、進行中の処理を完了させることができる。
【００６２】
なお、第１権限を有する者が店舗内におらず、その場で収納エラーを解除することができない場合には、第３権限を有する者でもアクセスできる紙葉類及び硬貨が、収納エラーで作動できなくなった有価媒体処理装置１００から取り除かれて、安全な金庫等に収容されるようにしてもよい。
【００６３】
上記では、主に入金処理を行う際に発揮される特徴について説明したが、次に、回収処理を行う際に発揮される特徴について説明する。
【００６４】
本実施の形態では、通常状態（後述する「所定の信号」が入力されていない状態）では、検知部１６１，１６６の検知結果より回収部６１，６６が筐体１１内に設置されていないと判断されたときに、ロック部８２によって開閉扉６３が筐体１１に対して施錠されないようになっていてもよい。他方、所定の信号が入力されると、検知部１６１，１６６の検知結果より回収部６１，６６が筐体１１内に設置されていないと判断されたときであっても、ロック部８２によって開閉扉６３が筐体１１に対して施錠されるようにしてもよい。なお、本実施の形態の回収部６１，６６には、筐体１１に既に設置されている設置回収部６１ｓ，６６ｓと、設置回収部６１ｓ，６６ｓと交換するための交換用回収部６１ｒ，６６ｒとが含まれている（図６参照）。
【００６５】
このような態様において、交換用回収部６１ｒ，６６ｒを筐体１１に設置することができない旨が操作表示部７１等から入力された場合に、上述した「所定の信号」が入力可能となるようにしてもよい。また、筐体１１内に既に設置されていた設置回収部６１ｓ，６６ｓを筐体１１から取り出した後で所定の時間が経過しても交換用回収部６１ｒ，６６ｒの設置が完了しない場合に、上述した「所定の信号」が入力可能となるようにしてもよい。また、筐体１１内に既に設置されていた設置回収部６１ｓ，６６ｓを筐体１１から取り出した後で所定の時間が経過しても交換用回収部６１ｒ，６６ｒの設置が完了しない場合に、上述した「所定の信号」が自動で入力されてもよい。
【００６６】
また、出力部８１は、所定の信号が入力可能となったときに、上述した「所定の信号」を入力するよう促す信号を出力するようにしてもよい。このように出力部８１によって出力される情報は操作表示部７１で表示されてもよい。
【００６７】
なお、本実施の形態では、ロック部８２によって開閉扉６３が筐体１１に対して施錠されないときには、ばね等の弾性部材による力を受けて、開閉扉６３が筐体１１に対して開放された状態（開いた状態）になるようにしてもよい。
【００６８】
ちなみに、出力部８１は、交換用回収部６１ｒ，６６ｒを筐体１１に設置することができないエラーが発生すると、別の交換用回収部６１ｒ，６６ｒを設置することを促す情報を出力するようにしてもよい。この態様においては、別の交換用回収部６１ｒ，６６ｒを持参して設置することができる所定の権限を有する者に対して、別の交換用回収部６１ｒ，６６ｒを設置することを促す情報を出力するようにしてもよい。この情報は、警備会社に設置されている管理装置に出力されて、当該管理装置の表示部で表示されてもよい。また、別の交換用回収部６１ｒ，６６ｒを持参して設置することができる警備会社の従業員（複数でも可）の携帯電話、スマートフォン、ＰＣ等のメールアドレスが予め記憶部８０に記憶されており、当該メールアドレスに別の交換用回収部６１ｒ，６６ｒを設置することを促す情報が送信されるようになっていてもよい。
【００６９】
また、紙葉類カセット６１が設置されていない場合であっても硬貨カセット６６が設置されている場合には、縮退運転を行ってもよく、硬貨カセット６６への硬貨の収納処理を行ってもよいし、当該硬貨カセット６６内に収納された硬貨の回収処理を行ってもよい。また、同様に、硬貨カセット６６が設置されていない場合であっても紙葉類カセット６１が設置されている場合には、縮退運転を行ってもよく、紙葉類カセット６１への紙葉類の収納処理を行ってもよいし、当該紙葉類カセット６１内に収納された紙葉類の回収処理を行ってもよい。
【００７０】
《方法》
次に、本実施の形態の有価媒体処理装置１００又は有価媒体入金システムを用いた処理方法について説明する。「方法」における処理の仕方としては、「構成」で述べた事項の全てを採用することができる。しかしながら、重複する記載となることから、以下では、適宜省略しつつ記載する。
【００７１】
［入金処理／正常時］
本実施の形態による入金処理方法は、正常時には、以下のような工程を経る。
【００７２】
まず、受入部２１，４１で受け入れられた有価媒体が識別部２５，４５で識別計数される（計数工程、図７のＳ１１参照）。このように識別部２５，４５で識別計数された有価媒体は一時保留部２６，４６に一時的に収納される（一時保留工程、図７のＳ１２参照）。
【００７３】
そして、一時保留部２６，４６に一定量の有価媒体が貯まった場合には、当該一時保留部２６，４６に収納された有価媒体を回収部６１，６６に収納させる処理を完了させるためにレジ係等の操作者が操作表示部７１等から収納を完了させる旨の入力を行うことによって、一時保留部２６，４６内の有価媒体が回収部６１，６６へと移動されることになる（収納工程、図７のＳ１３及び図８（ａ）（ｂ）参照）。なお、一時保留部２６，４６に収納された有価媒体を回収部６１，６６に移動させることを完了させる旨の入力が操作表示部７１等から行われると、紙葉類一時保留部２６及び硬貨一時保留部４６に収納された有価媒体は店舗の権限下（第１管理権限下）から警備会社の権限下（第２管理権限下）に移り、かつ、紙葉類一時保留部２６及び硬貨一時保留部４６に収納された有価媒体は紙葉類カセット６１及び硬貨カセット６６に収納されたものとして取り扱われ、この有価媒体に関する情報は記憶部８０で記憶される（記憶工程、図７のＳ１３参照）。図８（ａ）は一時保留部２６，４６に収納された有価媒体に関する情報を示したものであり、図８（ａ）の［完了］キーを押下することで図８（ｂ）に示すような画面が操作表示部７１に表示されることになる。
【００７４】
まだ取引が終了していない場合には継続して計数が行われ、当該取引が終了するまで、上述した計数工程、一時保留工程及び収納工程が繰り返し行われる。
【００７５】
そして、取引が終了した場合には、レジ係等の操作者が操作表示部７１等から取引を承認する旨の入力を行うことで入金処理が終了される。
【００７６】
ちなみに、一取引に含まれる有価媒体の枚数によっては、計数工程、一時保留工程及び収納工程を繰り返し行うことなく、これらを一度だけ行えばよいことも当然ある。
【００７７】
［入金処理／異常時］
本実施の形態による入金処理方法において、収納工程で収納エラーが発生したときには、一例として、以下のような工程を経る。
【００７８】
まず、受入部２１，４１で受け入れられた有価媒体が識別部２５，４５で識別計数される（計数工程、図９のＳ２１参照）。このように識別部２５，４５で識別計数された有価媒体は一時保留部２６，４６に一時的に収納される（一時保留工程、図９のＳ２２参照）。
【００７９】
そして、一時保留部２６，４６に一定量の有価媒体が貯まった場合には、当該一時保留部２６，４６に収納された有価媒体を回収部６１，６６に収納させる処理を完了させるためにレジ係等の操作者が操作表示部７１等から収納を完了させる旨の入力を行うことによって、一時保留部２６，４６内の有価媒体が回収部６１，６６へと移動されることになる（収納工程、図９のＳ２３及び図１０（ａ）参照）。また、このような入力が行われると、（後述するように収納エラーが発生した場合であっても）紙葉類一時保留部２６及び硬貨一時保留部４６に収納された有価媒体は店舗の権限下から警備会社の権限下に移り、かつ、紙葉類一時保留部２６及び硬貨一時保留部４６に収納された有価媒体は紙葉類カセット６１及び硬貨カセット６６に収納されたものとして取り扱われ、この有価媒体に関する情報が記憶部８０で記憶される（記憶工程、図９のＳ２３参照）。
【００８０】
この収納工程において収納エラーが発生すると、収納エラーが発生した旨が出力部８１によって出力され、操作表示部７１で表示される。この際、操作表示部７１には、収納工程で収納エラーが発生した情報（図１０（ｂ）では「収納エラーが発生しました」として示されている。）、強制終了させることを促す情報（図１０（ｂ）では「［完了］キーを押し、強制終了してください」として示されている。）、返却された有価媒体を持ち帰ることを促す情報（図１０（ｂ）では「返却された計数物はお持ち帰りください」として示されている。）が表示される。また、操作表示部７１には、強制終了させる旨のボタンが表示される（図１０（ｂ）では［完了］キーとして示されている。）。
【００８１】
強制終了させるための［完了］キーが操作者によって押下されると、収納エラーが発生した状態で進行中の処理を中断させるための信号が出力部８１から制御部３０，５０，７０に出力され、当該信号を制御部３０，５０，７０が受け取ると、制御部３０，５０，７０が当該処理を中断する（中断工程、図９のＳ２４参照）。その結果、入金処理は一旦停止され、例えば第１権限を有する者等の所定の権限を有する者以外の者による有価媒体処理装置１００の使用が不可能となる。近くに収納エラーを解除することができる者（例えば第１権限者）がいる場合には、すぐに収納エラーが解除されることになるが、収納エラーを解除することができる者が帰宅している場合等のように近くに収納エラーを解除することができる者がいない場合には、当該有価媒体処理装置１００は停止されたままとなる。有価媒体処理装置１００が停止されている間は、管理者Ｎｏ等の操作者識別情報を入力するための画面が操作表示部７１に表示されることになる（図９のＳ２５参照）。
【００８２】
収納エラーを解除することができる者（例えば第１権限者）が、管理者Ｎｏ等の操作者識別情報を入力する画面（図１０（ｃ）参照）において操作者識別情報を入力することで（操作者識別情報入力工程、図９のＳ２６で「ＹＥＳ」となったときを参照）、収納エラーを解除するための画面が表示される（図９のＳ２７参照）。この際、ロック部８２によるロックが適宜解錠されて、収納エラーを解除するために必要な部材、より具体的には一時保留部２６，４６へのアクセスが許可されることになる。なお、図１０（ｃ）に示す態様では、カードリーダ７５に磁気カードを通すことで管理者Ｎｏ等の操作者識別情報が入力されることとなる。
【００８３】
その後、収納エラーを解除することができる者（例えば第１権限者）が収納エラーを解除するために一時保留部２６，４６へアクセスし、収納エラーを解除することで（図９のＳ２８参照）、有価媒体処理装置１００は正常な状態に戻る。この際、収納エラーを解除するための手順が操作表示部７１で表示されてもよい（図１０（ｄ）参照）。この手順は、文字情報で表示されてもよいし、手順を示す動画が流されてもよいし、これら両方が表示されてもよい。なお、収納エラーを解除する際には、例えば詰まった有価媒体を手で取り除く又は詰まった有価媒体を回収部６１，６６へ手で押し込む等してやればよい。
【００８４】
なお、本実施の形態による入金処理方法では、以下で挙げるような工程を行うこともできる。
【００８５】
収納エラーが発生すると、中断工程に先立ち、出力部８１が次に示すような情報を出力してもよい（作業情報出力工程）。第一の態様としては、出力部８１が、進行中の処理を中断することを促す信号を出力してもよい。第二の態様としては、出力部８１が、他の有価媒体処理装置１００を用いて進行中の処理を完了させることを促す信号を出力してもよい。第三の態様としては、出力部８１が、当該収納エラーを解除した後で進行中の処理を完了させることを促す信号を出力してもよい。このように出力部８１によって出力される情報は操作表示部７１で表示されてもよい。
【００８６】
また、出力部８１が、所定の権限を有する者（第１権限者）に対して収納エラーが発生した旨の情報を出力してもよい（エラー発生出力工程）。
【００８７】
また、本実施の形態による処理方法は、次に示すような態様によって、進行中の処理を完了させてもよい。
【００８８】
進行中の処理の残りの有価媒体に関する情報を、収納エラーを解除した後で取得する（第一残情報取得工程）。そして、記憶工程において回収部６１，６６に収納されたものとして判断された有価媒体に関する情報と、第一残情報取得工程において取得された残りの有価媒体に関する情報とに基づいて、より具体的には、記憶工程において回収部６１，６６に収納されたものとして判断された有価媒体の金種別枚数又は合計金額に、第一残情報取得工程において取得された残りの有価媒体の金種別枚数又は合計金額を合算することで（第一合算工程）、進行中の入金処理を完了させる。
【００８９】
また、このような態様とは異なり、進行中の処理の残りの有価媒体に関する情報を、収納エラーが発生した有価媒体処理装置１００とは異なる有価媒体処理装置１００によって取得する（第二残情報取得工程）。そして、記憶工程において回収部６１，６６に収納されたものとして判断された有価媒体に関する情報と、第二残情報取得工程において取得された残りの有価媒体に関する情報とに基づいて、より具体的には、記憶工程において回収部６１，６６に収納されたものとして判断された有価媒体の金種別枚数又は合計金額に、第二残情報取得工程において取得された残りの有価媒体の金種別枚数又は合計金額を合算することで（第二合算工程）、進行中の入金処理を完了させる。
【００９０】
［回収処理／正常時］
本実施の形態による回収処理方法は、正常時には、以下のような工程を経る。
【００９１】
回収部６１，６６を回収する際には、まず、回収処理を行うことを入力するとともに（図１２（ａ）参照）、操作者ＩＤを入力するととともにパスワードを入力したり、ＩＤカードをカードリーダ７５で読み取らせたりすることで、ロック部８２による開閉扉６３の筐体１１に対するロックを解錠する（解錠工程、図１１のＳ３１参照）。
【００９２】
次に、開閉扉６３を筐体１１に対して開放して、筐体１１内から回収対象となっている回収部６１，６６、つまり設置回収部６１ｓ，６６ｓを取り出す（取出工程、図１１のＳ３２参照）。
【００９３】
次に、持ち込んだ交換用回収部６１ｒ，６６ｒを取り出した設置回収部６１ｓ，６６ｓの代わりに筐体１１内に設置する（設置工程、図１１のＳ３３参照）。この際、筐体１１から引き出された台車から設置回収部６１ｓ，６６ｓを取り出して、その代わりに、交換用回収部６１ｒ，６６ｒを台車に設置し、筐体１１内に台車を移動させる。取出工程及び／又は設置工程の間、設置回収部６１ｓ，６６ｓを取り出して交換用回収部６１ｒ，６６ｒを設置するための手順が操作表示部７１で表示されてもよい（図１２（ｂ）参照）。この手順は、文字情報で表示されてもよいし、手順を示す動画が流されてもよいし、これら両方が表示されてもよい。
【００９４】
次に、開閉扉６３を筐体１１に対して閉状態にし、その結果自動で又は所定の入力を行うことで、開閉扉６３を筐体１１に対してロックする（施錠工程、図１１のＳ３４参照）。
【００９５】
上述した一連の流れが、何らエラーの発生しないときの回収処理方法である。
【００９６】
［回収処理／異常時］
仮に何らしかの原因で交換用の交換用回収部６１ｒ，６６ｒが歪んで変形等してしまった場合には当該交換用回収部６１ｒ，６６ｒを筐体１１内に設置することができなくなる（図１３のＳ４３参照）。この場合には、ロック部８２によって開閉扉６３が筐体１１に対して施錠されないこととなり、ばね等の弾性部材による力を受けて、当該開閉扉６３が筐体１１に対して開放された状態（開いた状態）になる。なお、図１３においてＳ４１で示された解錠工程及びＳ４２で示された取出工程の各々は、図１１においてＳ３１で示された解錠工程及びＳ３２で示された取出工程と同じ工程である。
【００９７】
このような状態において、操作者が所定の信号を入力すると（施錠信号入力工程、図１３において「［強制完了］押下？」で「ＹＥＳ」となったときを参照）、検知部１６１，１６６の検知結果より回収部６１，６６が筐体１１内に設置されていないと判断されたときであっても、ロック部８２によって開閉扉６３が筐体１１に対して施錠できるようになる。なお、図１４に示した態様では、操作表示部７１に［強制完了］キーが表示され、この［強制完了］キーを押下することで、当該「所定の信号」が入力されることとなる。また、図１４に示した態様では、「カセットエラーが発生しました」「完了しますか？」という文字情報が表示され、交換用回収部６１ｒ，６６ｒを筐体１１内に設置できていないことを知らせる情報が表示されるようになっている。
【００９８】
このように操作者が所定の信号を入力した後で、開閉扉６３を筐体１１に対して閉状態にすると自動で、又は、開閉扉６３を筐体１１に対して閉状態にして所定の入力を行うことで、開閉扉６３が筐体１１に対してロックされる（施錠工程、図１３のＳ４４参照）。
【００９９】
上述した施錠信号入力工程に先立ち、交換用回収部６１ｒ，６６ｒを筐体１１に設置することができない旨入力した場合に（取付不能信号入力工程）、上述した施錠信号入力工程を行うことができるようになってもよい。また、回収部６１，６６を前記筐体１１から取り出した後で所定の時間が経過しても交換用回収部６１ｒ，６６ｒの設置が完了しない場合に、上述した施錠信号入力工程を行うことができるようになってもよい。
【０１００】
また、上述した施錠信号入力工程に先立ち、上記所定の信号が入力可能となったときに、当該所定の信号を入力するよう促す信号を出力するようにしてもよい（入力可能信号出力工程）。このように出力部８１によって出力される情報は操作表示部７１で表示されてもよい。
【０１０１】
また、交換用回収部６１ｒ，６６ｒを筐体１１に設置することができないエラーが発生すると、別の交換用回収部６１ｒ，６６ｒを設置することを促す情報を出力するようにしてもよい（エラー発生出力工程）。
【０１０２】
正常な状態の交換用回収部６１ｒ，６６ｒが持ってこられた場合には、まず、回収処理を行うことを入力するとともに（図１５（ａ）参照）、操作者ＩＤを入力するととともにパスワードを入力したり、ＩＤカードをカードリーダ７５で読み取らせたりすることで、ロック部８２による開閉扉６３の筐体１１に対するロックを解錠する（解錠工程、図１３のＳ４６参照）。
【０１０３】
次に、持ち込んだ交換用回収部６１ｒ，６６ｒを筐体１１内に設置する（設置工程、図１３のＳ４８参照）。この際、台車のうち設置回収部６１ｓ，６６ｓが取り出されて空になった箇所に交換用回収部６１ｒ，６６ｒを設置し、筐体１１内に台車を移動させる。取出工程及び／又は設置工程の間、設置回収部６１ｓ，６６ｓを取り出して交換用回収部６１ｒ，６６ｒを設置するための手順が操作表示部７１で表示されてもよい（図１５（ｂ）参照）。この手順は、文字情報で表示されてもよいし、手順を示す動画が流されてもよいし、これら両方が表示されてもよい。
【０１０４】
次に、開閉扉６３を筐体１１に対して閉状態にし、その結果自動で又は所定の入力を行うことで、開閉扉６３を筐体１１に対してロックする（施錠工程、図１３のＳ４９参照）。
【０１０５】
《効果》
次に、上述した構成からなる本実施の形態によって達成される効果であって、まだ述べていない効果又はとりわけ重要な効果について説明する。
【０１０６】
本実施の形態によれば、一時保留部２６，４６から回収部６１，６６に有価媒体を収納する際にエラー（収納エラー）が発生した場合に、回収部６１，６６に収納されたものとして判断された有価媒体に関する情報を記憶部８０に記憶させる。また、収納エラーが発生した状態で進行中の処理を中断させるための信号を受けると当該処理を中断する。このため、収納エラーが発生してしまっても、当該収納エラーを解消することなく進行中の処理を暫定的に終了させることができる。
【０１０７】
また、本実施の形態において、出力部８１が、収納エラーが発生すると進行中の処理を中断することを促す信号を出力する態様を採用した場合には、出力された情報を操作表示部７１等で表示することで、操作者は進行中の処理を中断すべきであることを認識することができる。
【０１０８】
また、複数の有価媒体処理装置１００が設置されている場合において、出力部８１が、収納エラーが発生すると、他の有価媒体処理装置１００を用いて進行中の処理を完了させることを促す信号を出力する態様を採用した場合には、出力された情報を操作表示部７１等で表示することで、操作者は収納エラーで停止してしまった処理を他の有価媒体処理装置１００を用いて処理すればよいことを認識することができる。
【０１０９】
また、出力部８１が、収納エラーが発生すると、当該収納エラーを解除した後で進行中の処理を完了させることを促す信号を出力する態様を採用した場合には、出力された情報を操作表示部７１等で表示することで、操作者は収納エラーで停止してしまった処理を、収納エラーを解除した後で処理すればよいことを認識することができる。
【０１１０】
また、出力部８１が第１権限等の所定の権限を有する者に対して、収納エラーが発生した旨の情報を出力する態様を採用した場合には、収納エラーを解除することができる者（第１権限を有する者）は当該収納エラーが発生したことを認識することができ、収納エラーを解除するまでに要する時間を短縮することができる。なお、この態様を採用する場合には、収納エラーが発生した旨の情報が管理装置等の上位装置の表示部（後述する外部表示部に含まれる。）で表示されてもよい。また、当該所定の権限を有する者の携帯電話、スマートフォン、ＰＣ等のメールアドレスが予め記憶部８０に記憶されており、当該メールアドレスに収納エラーが発生した旨の情報が送信されるようになっていてもよい。この態様によれば、より短時間で、収納エラーを解除することができる者が当該収納エラーの発生を認識することを期待することができ、収納エラーを解除するまでに要する時間をさらに短縮することができる。
【０１１１】
また、進行中の処理の残りの有価媒体に関する情報が、発生した収納エラーを解除した後で対象となっている有価媒体処理装置１００から取得され、回収部６１，６６に収納されたものとして判断された有価媒体に関する情報と、収納エラーを解除した後で取得された残りの有価媒体に関する情報とに基づいて、進行中の処理が完了されてもよい。このような態様を採用した場合には、収納エラーが発生した有価媒体処理装置１００のみを用いて、収納エラーが原因で停止してしまった処理を完了させることができる。このため、仮に有価媒体処理装置１００が１台しか設置されていないような場合にも、進行の途中で停止してしまった入金処理を、停止されるまでに得た情報を用いて完了させることができる。
【０１１２】
また、進行中の処理の残りの有価媒体に関する情報が、収納エラーで作動できなくなった有価媒体処理装置１００とは異なる有価媒体処理装置１００によって取得され、回収部６１，６６に収納されたものとして判断された有価媒体に関する情報と、異なる有価媒体処理装置１００によって取得された残りの有価媒体に関する情報とに基づいて、進行中の処理が完了されてもよい。このような態様を採用した場合には、収納エラーの解除を待つことなく、収納エラーが原因で停止してしまった入金処理を完了させることができる点で有益である。
【０１１３】
上記では、主に入金処理を行う際に得られる効果について説明したが、次に、回収処理を行う際に得られる効果について説明する。
【０１１４】
本実施の形態では、通常状態では、検知部１６１，１６６の検知結果より回収部６１，６６が筐体１１内に設置されていないと判断されたときには、ロック部８２によって開閉扉６３が筐体１１に対して施錠されないが、所定の信号が入力されると、検知部１６１，１６６の検知結果より回収部６１，６６が筐体１１内に設置されていないと判断されたときであっても、ロック部８２によって開閉扉６３が筐体１１に対して施錠されるようにしてもよい。このような態様を採用した場合には、所定の信号を入力することで、検知部１６１，１６６の検知結果より回収部６１，６６が筐体１１内に設置されていないと判断されたときであっても、ロック部８２によって開閉扉６３が筐体１１に対して施錠される。このため、交換用回収部６１ｒ，６６ｒを筐体１１内に設置できない状態が発生してしまっても、交換用回収部６１ｒ，６６ｒを筐体１１内に設置することなく進行中の処理を暫定的に終了させることができる。また、この態様によれば、通常状態では、回収部６１，６６が筐体１１内に設置されていないと判断されたときにはロック部８２によって開閉扉６３が筐体１１に対して施錠されないので、交換用回収部６１ｒ，６６ｒの筐体１１への設置忘れや「所定の信号」の入力忘れ等を抑制することができる。
【０１１５】
また、交換用回収部６１ｒ，６６ｒを筐体１１に設置することができない旨入力された場合に、上述した「所定の信号」が入力可能となるようにしてもよい。このような態様を採用した場合には、何らしかの原因で交換用回収部６１ｒ，６６ｒが歪んで変形等してしまい当該交換用回収部６１ｒ，６６ｒを筐体１１内に設置することができなかったことを入力することではじめて「所定の信号」が入力可能となる。このため、交換用回収部６１ｒ，６６ｒを筐体１１内に設置することができなかったことを記憶部８０に履歴として残すことができる。
【０１１６】
また、筐体１１内に既に設置されていた設置回収部６１ｓ，６６ｓを筐体１１から取り出した後で所定の時間が経過しても交換用回収部６１ｒ，６６ｒの設置が完了しない場合に、上述した「所定の信号」が入力可能となるようにしてもよい。このような態様を採用した場合には、操作者が何らしかの操作を行うことなく、自動的に上述した「所定の信号」が入力可能となる点で有益である。
【０１１７】
なお、所定の信号が入力可能となったときに、上述した「所定の信号」を入力するよう促す信号を出力部８１が出力する態様を採用した場合には、出力された情報を操作表示部７１等で表示することで、操作者は、交換用回収部６１ｒ，６６ｒを筐体１１に設置しなくても進行中の回収処理を終了させられることを認識することができるようになる。
【０１１８】
また、ロック部８２によって開閉扉６３が筐体１１に対して施錠されないときに、当該開閉扉６３が筐体１１に対して開放された状態（開いた状態）になる態様を採用した場合には、ロック部８２によって開閉扉６３が筐体１１に対して施錠されないことを操作者に認識させることができる。このため、交換用回収部６１ｒ，６６ｒの筐体１１への設置忘れや、上述した「所定の信号」の入力忘れ等を操作者に認識させることができる。
【０１１９】
出力部８１が、交換用回収部６１ｒ，６６ｒを筐体１１に設置することができないエラーが発生すると、別の交換用回収部６１ｒ，６６ｒを設置することを促す情報を出力する態様を採用した場合には、早いタイミングで別の交換用回収部６１ｒ，６６ｒを対象となっている有価媒体処理装置１００に設置することができる点で有益である。この態様において、別の交換用回収部６１ｒ，６６ｒを持参して設置することができる者に対して別の交換用回収部６１ｒ，６６ｒを設置することを促す情報を出力するようにした場合、例えば警備会社に設置されている管理装置に別の交換用回収部６１ｒ，６６ｒを設置することを促す情報を出力するようにした場合には、当該管理装置の表示部で出力された情報を表示することで、別の交換用回収部６１ｒ，６６ｒを設置する必要性を警備会社が認識でき、より早いタイミングで別の交換用回収部６１ｒ，６６ｒを対象となっている有価媒体処理装置１００に設置することができる点で有益である。さらに、別の交換用回収部６１ｒ，６６ｒを持参して設置することができる警備会社の従業員（複数でも可）の携帯電話、スマートフォン、ＰＣ等のメールアドレスが予め記憶部８０に記憶されており、当該メールアドレスに別の交換用回収部６１ｒ，６６ｒを設置することを促す情報が送信される態様を採用した場合には、当該有価媒体処理装置１００の設置された店舗の近くにいる警備会社の従業員が当該店舗に交換用回収部６１ｒ，６６ｒを持参することを期待することができ、さらにより早いタイミングで別の交換用回収部６１ｒ，６６ｒを対象となっている有価媒体処理装置１００に設置することを期待できる点で有益である。
【０１２０】
ちなみに、回収部６１，６６が設置されていない状態では、有価媒体処理装置１００への入金処理を行うことができないように設定される場合もあり、早いタイミングで正常な状態の交換用回収部６１ｒ，６６ｒを設置することができることは、有価媒体処理装置１００の利用効率を高める観点からも有益である。
【０１２１】
ところで、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【０１２２】
上記では、操作表示部７１による操作態様及び表示態様を中心に説明してきたが、操作表示部７１で行っていた操作を、有価媒体処理装置１００以外の管理装置等の外部装置の外部操作部から行ってもよいし、操作表示部７１で表示されていた内容が有価媒体処理装置１００以外の外部装置の外部表示部で表示されてもよい。また、上記では、有価媒体処理装置１００の記憶部８０で情報が記憶されている旨説明してきたが、記憶部８０で記憶されていた内容は、有価媒体処理装置１００以外の外部装置の外部記憶部で記憶されてもよい。また、上記では、有価媒体処理装置１００の制御部３０，５０，７０が制御を行う態様を用いて説明してきたが、制御部３０，５０，７０が行う旨説明した内容を、有価媒体処理装置１００以外の外部装置の外部制御部が制御してもよい。
【符号の説明】
【０１２３】
１１          筐体
２６          紙葉類一時保留部（一時保留部）
３０          紙葉類制御部
４６          硬貨一時保留部（一時保留部）
５０          硬貨制御部（制御部）
６１          紙葉類カセット（回収部）
６３          開閉扉（取出し部）
６６          硬貨カセット（回収部）
６１ｓ，６６ｓ  設置回収部
６１ｒ，６６ｒ  交換用回収部
７０          本体制御部（制御部）
８０          記憶部
８１          出力部
８２          ロック部
１００        有価媒体処理装置
１６１        紙葉類検知部
１６６        硬貨検知部
【図１】
2016091187.tif 000003
【図２】
2016091187.tif 000004
【図３】
2016091187.tif 000005
【図４】
2016091187.tif 000006
【図５】
2016091187.tif 000007
【図６】
2016091187.tif 000008
【図７】
2016091187.tif 000009
【図８】
2016091187.tif 000010
【図９】
2016091187.tif 000011
【図１０】
2016091187.tif 000012
【図１１】
2016091187.tif 000013
【図１２】
2016091187.tif 000014
【図１３】
2016091187.tif 000015
【図１４】
2016091187.tif 000016
【図１５】
2016091187.tif 000017